(57)【特許請求の範囲】
【請求項１】
レンズ上方に配置された比較的遠方を見るための遠用部領域と、同遠用部領域よりも下方に配置され同遠用部領域よりも大きな屈折力を有する近用部領域と、これら領域の間に配置され屈折力が累進的に変化する累進帯領域を備え、前記遠用部領域から近用部領域にかけて加入度数が徐々に付加されていくように加入勾配が設定された累進屈折力レンズの製造方法であって、
所定の累進帯長が選択された所定の累進特性に対し所定のレンズ度数で設計する際に、ユーザーの加入度数では中間〜近用領域における所定の度数判定位置でプラス度数と判定した場合に、マイナス度数と判定した場合よりも中間〜近用領域における所定の明視幅設定位置の左右方向の明視幅を相対的に広く設計し、その設計データに基づいてレンズを製造することを特徴とする累進屈折力レンズの製造方法。
【請求項２】
所定の累進帯長が選択された所定の累進特性に対し所定のレンズ度数で設計する際に、ユーザーの加入度数では中間〜近用領域における所定の度数判定位置においてマイナス度数と判定した場合に所定の明視幅設定位置において左右方向が所定の明視幅となるように設計される累進面（以下、第１の基本累進屈折面とする）と、前記と同じ累進帯長及び累進特性に対し前記と同じレンズ度数で設計する際に、ユーザーの加入度数では中間〜近用領域における所定の度数判定位置においてプラス度数と判定した場合に前記所定の明視幅設定位置における前記第１の基本累進屈折面よりも左右方向の明視幅の広い設計によって構成される累進面（以下、第２の基本累進屈折面とする）とをそれぞれ算出し、所定の度数判定位置でのユーザーのレンズ度数をマイナス度数と判定した場合には前記第１の基本累進屈折面をユーザーのレンズの累進面とし、プラス度数と判定した場合には前記第２の基本累進屈折面をユーザーのレンズの累進面とすることを特徴とする請求項１に記載の累進屈折力レンズの製造方法。
【請求項３】
所定の累進帯長が選択された所定の累進特性に対し所定のレンズ度数で設計する際に、ユーザーの加入度数では中間〜近用領域における所定の度数判定位置においてマイナス度数と判定した場合に所定の明視幅設定位置において左右方向が所定の明視幅となるように設計される累進面（以下、第１の基本累進屈折面とする）と、前記と同じ累進帯長及び累進特性に対し前記と同じレンズ度数で設計する際に、ユーザーの加入度数では中間〜近用領域における所定の度数判定位置においてプラス度数と判定した場合に前記所定の明視幅設定位置における前記第１の基本累進屈折面よりも左右方向の明視幅が広い設計によって構成される累進面（以下、第２の基本累進屈折面とする）とをそれぞれ算出し、中間〜近用領域でのユーザーのプラス又はマイナスのレンズ度数の数値に応じた重みを前記両基本累進屈折面に対して与え、重みを与えた前記両基本累進屈折面を合成してユーザーのレンズの累進面を設計することを特徴とする請求項１に記載の累進屈折力レンズの製造方法。
【請求項４】
レンズ上方に配置された比較的遠方を見るための遠用部領域と、同遠用部領域よりも下方に配置され同遠用部領域よりも大きな屈折力を有する近用部領域と、これら領域の間に配置され屈折力が累進的に変化する累進帯領域を備え、前記遠用部領域から近用部領域にかけて加入度数が徐々に付加されていくように加入勾配が設定された累進屈折力レンズの設計方法であって、
所定の累進帯長が選択された所定の累進特性に対しユーザー毎に処方される所定のレンズ度数と加入度数を設定することでユーザーの累進屈折力レンズのレンズ形状を所定の度数判定位置でプラス度数と判定した場合に、同じ設定条件でマイナス度数と判定した場合よりも中間〜近用部の所定の高さ位置の加入量が相対的に多くなるように設計し、その設計データに基づいてレンズを製造することを特徴とする累進屈折力レンズの製造方法。
【請求項５】
所定の累進帯長が選択された所定の累進特性に対し所定のレンズ度数で設計する際に、ユーザーの加入度数では中間〜近用領域における所定の度数判定位置においてマイナス度数と判定した場合において所定の高さ位置で所定の加入量となるように設計される累進面（以下、第３の基本累進屈折面とする）と前記と同じ累進帯長及び累進特性に対し前記と同じレンズ度数で設計する際に、ユーザーの加入度数では中間〜近用領域における所定の度数判定位置においてプラス度数と判定した場合において前記第３の基本累進屈折面よりも前記所定の高さ位置での加入量が多くなるような設計によって構成される累進面（以下、第４の基本累進屈折面とする）とをそれぞれ算出し、所定の度数判定位置でのユーザーのレンズ度数がマイナス度数と判定した場合には前記第３の基本累進屈折面をユーザーのレンズの累進面とし、プラス度数である場合には前記第４の基本累進屈折面をユーザーのレンズの累進面とすることを特徴とする請求項４に記載の累進屈折力レンズの製造方法。
【請求項６】
所定の累進帯長が選択された所定の累進特性に対し所定のレンズ度数で設計する際に、ユーザーの加入度数では中間〜近用領域における所定の度数判定位置においてマイナス度数と判定した場合において所定の高さ位置で所定の加入量となるように設計される累進面（以下、第３の基本累進屈折面とする）と、前記と同じ累進帯長及び累進特性に対し前記と同じレンズ度数で設計する際に、ユーザーの加入度数では中間〜近用領域における所定の度数判定位置においてプラス度数と判定した場合において前記第３の基本累進屈折面よりも前記所定の高さ位置での加入量が多くなるような設計によって構成される累進面（以下、第４の基本累進屈折面とする）とをそれぞれ算出し、所定の度数判定位置でのユーザーのプラス又はマイナスのレンズ度数の数値に応じた重みを前記両基本累進屈折面に対して与え、重みを与えた前記両基本累進屈折面を合成してユーザーのレンズの累進面を設計することを特徴とする請求項４に記載の累進屈折力レンズの製造方法。
【請求項７】
所定の累進帯長が選択された所定の累進特性に対し所定のレンズ度数で設計する際に、ユーザーの加入度数では、ユーザーの累進屈折力レンズのレンズ形状が少なくとも所定の度数判定位置でプラス度数と判定した場合に、同じ設定条件でマイナス度数と判定した場合よりも所定の高さ位置での加入量が相対的に多くなるように設計することを特徴とする請求項１に記載の累進屈折力レンズの製造方法。
【請求項８】
所定の累進帯長が選択された所定の累進特性に対し所定のレンズ度数で設計する際に、ユーザーの加入度数では中間〜近用領域における所定の度数判定位置においてマイナス度数と判定した場合に所定の明視幅設定位置において左右方向が所定の明視幅となり、かつ所定の高さ位置で所定の加入量となるように設計される累進面（以下、第５の基本累進屈折面とする）と、前記と同じ累進帯長及び累進特性に対し前記と同じレンズ度数で設計する際に、ユーザーの加入度数では中間〜近用領域における所定の度数判定位置においてプラス度数と判定した場合にユーザーの加入度数では中間〜近用領域における所定の度数判定位置においてマイナス度数と判定した場合に所定の明視幅設定位置において左右方向が所定の明視幅となるように設計される累進面よりも左右方向の明視幅が広く、かつ前記所定の高さ位置での加入量が多くなるような設計によって構成される累進面（以下、第６の基本累進屈折面とする）とをそれぞれ算出し、中間〜近用領域おける所定の度数判定位置でユーザーのレンズ度数がマイナス度数と判定した場合には前記第５の基本累進屈折面をユーザーのレンズの累進面とし、プラス度数と判定した場合には前記第６の基本累進屈折面をユーザーのレンズの累進面とすることを特徴とする請求項７に記載の累進屈折力レンズの製造方法。
【請求項９】
所定の累進帯長が選択された所定の累進特性に対し所定のレンズ度数で設計する際に、ユーザーの加入度数では中間〜近用領域における所定の度数判定位置においてマイナス度数と判定した場合に所定の明視幅設定位置において左右方向が所定の明視幅となり、かつ所定の高さ位置で所定の加入量となるように設計される累進面（以下、第５の基本累進屈折面とする）と、前記と同じ累進帯長及び累進特性に対し前記と同じレンズ度数で設計する際に、ユーザーの加入度数では中間〜近用領域における所定の度数判定位置においてプラス度数と判定した場合に前記所定の明視幅設定位置における前記第１の基本累進屈折面よりも左右方向の明視幅が広く、かつ前記所定の高さ位置での加入量が多くなるような設計によって構成される累進面（以下、第６の基本累進屈折面とする）とをそれぞれ算出し、中間〜近用領域における所定の度数判定位置でユーザーのプラス又はマイナスのレンズ度数の数値に応じた重みを前記両基本累進屈折面に対して与え、重みを与えた前記両基本累進屈折面を合成してユーザーのレンズの累進面を設計することを特徴とする請求項７に記載の累進屈折力レンズの製造方法。
【請求項１０】
中間〜近用領域における所定の度数判定位置でユーザーのレンズ度数が所定範囲に属する小さい値であると判定した場合には重みを与えた前記両基本累進屈折面を合成し、それ以上の値の場合にはユーザーのプラス又はマイナスのレンズ度数に対応したいずれかの基本累進屈折面をそのまま選択することを特徴とする請求項３、６又は９のいずれかに記載の累進屈折力レンズの製造方法。
【請求項１１】
前記所定範囲の小さい値とは絶対値において０〜２Ｄ（ディオプター)の範囲であることを特徴とする請求項１０に記載の累進屈折力レンズの製造方法。
【発明の詳細な説明】
【技術分野】
【０００１】
本発明は老視補正用の眼鏡に使用される累進屈折力レンズの製造方法に関するものである。
【背景技術】
【０００２】
高齢により眼の水晶体による調節機能が低下し近方視が困難な状態が老視である。この老視に対する矯正用の眼鏡に累進屈折力レンズが使用されている。
一般的に累進屈折力レンズは屈折力のそれぞれ異なる２つの屈折領域と、それら両領域の間で屈折力（度数）が累進的に変わる累進帯領域とを備えており、境目がなく１枚のレンズで遠くのものから近くのものまで見ることができるものである。ここに２つの領域とはレンズの上方位置に設定された遠用部領域と、レンズの下方位置に設定された近用部領域の２つの領域のことである。遠用部領域と近用部領域との移行帯である累進帯領域は滑らかかつ連続的に連結されている。
遠用部領域は主として遠距離の物体を目視するための領域であり、近用部領域は主として近距離の物体を目視するための領域であり、累進帯領域は主として中距離の物体を目視するための領域である。もっとも累進屈折力レンズは屈折力が連続的に変化しているためこれら領域が明確に区画されているわけではない。
ここに、遠近等の距離の概念はしっかりとした区分けがされているわけではなく定義も決まってはいない。一般に遠距離とは４〜５ｍよりも遠くを言い、近距離とは５０ｃｍよりも手前側を言い、中距離とはこれらの中間距離を言う。このような累進屈折力レンズの設計方法の一例として特許文献１及び２を挙げる。
【先行技術文献】
【特許文献】
【０００３】
【特許文献１】特許第３７８７２２７号公報
【特許文献２】特開２００８−６５３５８号公報
【特許文献３】特開２００６−２８５２００号公報
【発明の概要】
【発明が解決しようとする課題】
【０００４】
レンズには図４のように入射した光がレンズの厚い方に屈折するというプリズム効果がある。これは要はプラスレンズであればレンズを透過した光は内側に屈折し、マイナスレンズであれば外側に屈折することを意味する。プラスレンズとマイナスレンズのプリズム効果による視線の屈折方向の違いについては、例えば特許文献３にも記載されている。
【０００５】
このようなプラスレンズとマイナスレンズのプリズム効果によって、累進屈折力レンズでは次のような課題が生じていた。
１）図５(ａ）において水平方向の一点鎖線Ｌ１位置での左右方向の明視幅を考える。明視幅とは目的距離にある物体が無理なく明視可能なレンズ上の幅を示し、左右方向の明視幅とは例えば、L1線上において非点収差の絶対値が一定値以下である範囲等によって定義される。中間〜近用領域にかけての比較的近傍を目視する場合では左右方向に視線が頻繁に移動し、かつ中間〜近用領域においては物体を注視する傾向となるため、どの程度の明視幅が確保できるのか重要である。しかし、図５(ｂ）及び（ｃ）のようにプリズム効果によってこの付近でプラス度数となる場合（つまりプラスレンズ形状となる場合）には、レンズ上の明視幅の両端を通過する光線のレンズ度数０の場合の方向を破線方向とすると同じレンズ上の明視幅の両端を通過する光線が実線のように内側に寄って明視できる幅が狭くなってしまうこととなる。一方、マイナス度数となる場合（つまりマイナスレンズ形状となる場合）では逆に、レンズ上の明視幅の両端を通過する光線のレンズ度数０の場合の方向を破線方向とすると実線のように外側に寄って明視できる幅が広くなってしまい、レンズ上の左右方向の明視幅が同じであってもマイナス度数となる場合に比べてプラス度数となる場合では相対的に実際に装用した時に明視できる幅が狭くなってしまう現象が生じていた。
２）同様に図６（ａ）において垂直方向の一点破線Ｌ２上において、中間〜近用距離において所定の距離にある物体を見る際の上下方向の明視幅を考える。累進屈折力レンズでは、レンズ上方の遠用部からレンズ下方の近用部に掛けて度数が大きくなっていくように変化しており、適切に見ることの出来る距離が遠方距離から近方距離に徐々に近くなってくる。つまり、ある所定の目的とする距離を定めた場合には、その距離を見るための適切な度数を調節力等による許容幅も含めて設定することが出来、一点破線Ｌ２上における許容度数内となる範囲を上下方向の明視幅と定義できる。中間〜近用部分は度数が変化している領域に当たるため、上下方向の明視幅においても左右方向の明視幅の場合と同様にどの程度明視幅が確保できるかが重要である。しかし、図６（ｂ）及び（ｃ）のようにプリズム効果によってこの付近でプラス度数となる場合にレンズ上の明視幅の両端を通過する光線のレンズ度数０となる場合の方向を破線方向とすると実線のように明視できる幅が狭くなってしまうこととなる。一方、マイナス度数となる場合には逆に、レンズ上の明視幅の両端を通過する光線のレンズ度数０となる場合の方向を破線方向とすると実線のように明視できる幅が広くなってしまうこととなる。これは、一般にプリズム効果はレンズの中心から周辺に離れるに従って大きくなることに由来する。これらのことからレンズ上の上下方向の明視幅が同じであってもマイナス度数となる場合に比べてプラス度数となる場合においては相対的に実際に装用した時に明視できる幅が狭くなってしまう現象が生じ、焦点の合う位置を探すためにあごや首を動かすなどしてレンズ上で見える位置を探す必要が生じていた。
本発明は、このような従来の技術に存在する問題点に着目してなされたものである。その目的は、累進特性の共通する累進屈折力レンズにおいてレンズ形状が中間〜近用領域にかけてプラス度数あるいはマイナス度数となる場合にその度数状態に応じて中間〜近用領域の累進特性を変更するようにした累進屈折力レンズの製造方法を提供することにある。
【課題を解決するための手段】
【０００６】
上記課題を解決するために第１の手段では、レンズ上方に配置された比較的遠方を見るための遠用部領域と、同遠用部領域よりも下方に配置され同遠用部領域よりも大きな屈折力を有する近用部領域と、これら領域の間に配置され屈折力が累進的に変化する累進帯領域を備え、前記遠用部領域から近用部領域にかけて加入度数が徐々に付加されていくように加入勾配が設定された累進屈折力レンズの設計方法であって、所定の累進帯長が選択された所定の累進特性に対し所定のレンズ度数で設計する際に、当該ユーザーの加入度数では中間〜近用領域における所定の度数判定位置でプラス度数となる場合に、マイナス度数となる場合よりも中間〜近用領域における所定の明視幅設定位置の左右方向の明視幅を相対的に広く設計することをその要旨とする。
このような構成とすることで、累進屈折力レンズの中間〜近用領域にかけてプラス度数となる場合にプリズム効果によってレンズ上の左右方向の明視幅の両端を通過する光線が内側に寄ってしまい明視できる幅が狭くなることを防止でき、同じ累進特性で同じ累進帯長を選択した設計において中間〜近用領域にかけてマイナス度数となる場合との中間〜近用領域にかけての左右方向の見え方の差異を解消させることが可能となる。
【０００７】
これはより具体的には次のような設計を実行するものである。例えば、このユーザーがある累進特性について１３ｍｍの累進帯長を選択した設計を行うものとする。ここで、レンズ度数が−２Ｄ（ディオプター)であったとする。その場合にこの累進特性において当該ユーザーに好適な中間〜近用領域にかけての見え方となるようにユーザー固有の加入度数を設定する。その結果、中間〜近用領域にかけてプラス度数となるとする。一方、視力の異なる別のユーザーで同じ累進特性について１３ｍｍの累進帯長を選択した場合があり、中間〜近用領域にかけてマイナス度数であるとする。そのような場合に中間〜近用領域での当該ユーザーの左右方向の明視幅をマイナス度数の場合よりもプラス度数の場合を広く設計するというものである。
ここに「所定の累進特性」とは例えば、近用領域が広く明瞭に見えるとか、遠くを見ることを重視するとか、揺れ歪みが少ないとかいうような累進屈折力レンズの見え方の特性をいう。この累進屈折力レンズの見え方の特性は、ある累進屈折力レンズの見え方や装用感の特徴としてユーザーや眼鏡店の店員等に理解されるものであり、レンズ設計時に非点収差分布、度数分布、加入度曲線、プリズム分布などの光学的特性を変更することにより制御されるものである。
また、所定の度数判定位置とは、中間〜近用領域にかけての明視幅の変化がわかる位置であれば特に限定はされない。
【０００８】
また、第２の手段では第１の手段に記載の発明の構成に加え、所定の累進帯長が選択された所定の累進特性に対し所定のレンズ度数で設計する際に、当該ユーザーの加入度数では中間〜近用領域における所定の度数判定位置においてマイナス度数の場合に所定の明視幅設定位置において左右方向が所定の明視幅となるように設計される累進面（以下、第１の基本累進屈折面とする）と、前記と同じ累進帯長及び累進特性に対し前記と同じレンズ度数で設計する際に、当該ユーザーの加入度数では中間〜近用領域における所定の度数判定位置においてプラス度数の場合に前記所定の明視幅設定位置における前記第１の基本累進屈折面よりも左右方向の明視幅の広い設計によって構成される累進面（以下、第２の基本累進屈折面とする）とをそれぞれ算出し、所定の度数判定位置での当該ユーザーのレンズ度数がマイナス度数である場合には前記第１の基本累進屈折面を当該ユーザーのレンズの累進面とし、プラス度数である場合には前記第２の基本累進屈折面を当該ユーザーのレンズの累進面とすることをその要旨とする。
第２の手段はより具体的な設計手法であって、所定の累進帯長が選択された所定の累進特性に対し所定のレンズ度数で設計する際に、当該ユーザーの加入度数では中間〜近用領域における所定の度数判定位置においてマイナス度数の場合の第１の基本累進屈折面とプラス度数の場合の第２の基本累進屈折面を算出し、その累進帯長における中間〜近用領域での当該ユーザーのレンズ度数に応じていずれかを使い分けるというものである。
これによって、簡便に同じ累進特性で同じ累進帯長を選択した設計においてマイナス度数とプラス度数との中間〜近用領域にかけて左右方向の見え方の差異を解消させることが可能となる。
ここに、基本累進屈折面とは、累進要素の面形状変化を与える基本となる面のことを言う。基本累進屈折面は他の条件、例えばレンズの表カーブ面、レンズの度数面、非球面とレンズ面を合成して具体的な三次元レンズ形状を構成できる面である。
【０００９】
また、第３の手段では第１の手段に記載の発明の構成に加え、所定の累進帯長が選択された所定の累進特性に対し所定のレンズ度数で設計する際に、当該ユーザーの加入度数では中間〜近用領域における所定の度数判定位置においてマイナス度数の場合に所定の明視幅設定位置において左右方向が所定の明視幅となるように設計される累進面（以下、第１の基本累進屈折面とする）と、前記と同じ累進帯長及び累進特性に対し前記と同じレンズ度数で設計する際に、当該ユーザーの加入度数では中間〜近用領域における所定の度数判定位置においてプラス度数の場合に前記所定の明視幅設定位置における前記第１の基本累進屈折面よりも左右方向の明視幅が広い設計によって構成される累進面（以下、第２の基本累進屈折面とする）とをそれぞれ算出し、中間〜近用領域での当該ユーザーのプラス又はマイナスのレンズ度数の数値に応じた重みを前記両基本累進屈折面に対して与え、重みを与えた前記両基本累進屈折面を合成して当該ユーザーのレンズの累進面を設計することをその要旨とする。
第３の手段はより具体的な設計手法であって、所定の累進帯長が選択された所定の累進特性に対し所定のレンズ度数で設計する際に、当該ユーザーの加入度数では中間〜近用領域における所定の度数判定位置においてマイナス度数の場合の第１の基本累進屈折面とプラス度数の場合の第２の基本累進屈折面を算出し、その累進帯長における累進特性での中間〜近用領域での当該ユーザーのレンズ度数に応じた重みをそれら基本累進屈折面に与えて当該ユーザーのレンズの累進面を設計するというものである。
これによって、同じ累進特性で同じ累進帯長を選択した設計においてマイナス度数とプラス度数との中間〜近用領域にかけて左右方向の見え方の差異をユーザーの実際のレンズ度数に応じてより妥当な量として解消させることが可能となる。
重みを取得するための度数判定位置は中間〜近用領域であれば特に限定はされず、例えば１）近用度数測定位置、２）近用度数測定位置の３〜４ｍｍ上（＝累進帯の終わりの位置で近用入り口）、３）アイポイントの下方９ｍｍの地点、４）アイポイントの下方７ｍｍの地点等が挙げられる。
３）４）の位置（地点）は、実質的に近用を見る位置なので好ましい位置である。一方で、１）２）はレンズ度数を測定し易いため取り扱いがしやすい点で好ましい位置である。
【００１０】
また、第４の手段ではレンズ上方に配置された比較的遠方を見るための遠用部領域と、同遠用部領域よりも下方に配置され同遠用部領域よりも大きな屈折力を有する近用部領域と、これら領域の間に配置され屈折力が累進的に変化する累進帯領域を備え、前記遠用部領域から近用部領域にかけて加入度数が徐々に付加されていくように加入勾配が設定された累進屈折力レンズの設計方法であって、所定の累進帯長が選択された所定の累進特性に対しユーザー毎に処方される所定のレンズ度数と加入度数を設定することで当該ユーザーの累進屈折力レンズのレンズ形状が所定の度数判定位置でプラス度数となる場合に、同じ設定条件でマイナス度数となる場合よりも中間〜近用部の所定の高さ位置の加入量が相対的に多くなるように設計することをその要旨とする。
このような構成とすることで、累進屈折力レンズの中間〜近用領域にかけてプラス度数となる場合にプリズム効果によってレンズ上の上下方向の明視幅の両端を通過する光線が狭くなることを防止でき、同じ累進特性で同じ累進帯長を選択した設計においてマイナス度数となる場合との中間〜近用領域にかけての上下方向の見え方の差異を解消させることが可能となる。
ここに「所定の高さ位置」とは中間〜近用部にかけた範囲であれば特に限定されるものではないが、特に近用入り口はレンズ上方から下方への加入度の設定（加入度曲線の設定）において設計の違いが生じやすい高さ位置であるため好ましい。近用入り口とは累進帯の終わりの位置に相当し、近用部の度数測定位置の概ね３〜４ｍｍ上方に位置する。
【００１１】
また、第５の手段では第４の手段に記載の発明の構成に加え、所定の累進帯長が選択された所定の累進特性に対し所定のレンズ度数で設計する際に、当該ユーザーの加入度数では中間〜近用領域における所定の度数判定位置においてマイナス度数の場合において所定の高さ位置で所定の加入量となるように設計される累進面（以下、第３の基本累進屈折面とする）と前記と同じ累進帯長及び累進特性に対し前記と同じレンズ度数で設計する際に、当該ユーザーの加入度数では中間〜近用領域における所定の度数判定位置においてプラス度数の場合において前記第３の基本累進屈折面よりも前記所定の高さ位置での加入量が多くなるような設計によって構成される累進面（以下、第４の基本累進屈折面とする）とをそれぞれ算出し、所定の度数判定位置での当該ユーザーのレンズ度数がマイナス度数である場合には前記第３の基本累進屈折面を当該ユーザーのレンズの累進面とし、プラス度数である場合には前記第４の基本累進屈折面を当該ユーザーのレンズの累進面とすることをその要旨とする。
第５の手段はより具体的な設計手法であって、所定の累進帯長が選択された所定の累進特性に対し所定のレンズ度数で設計する際に、当該ユーザーの加入度数では中間〜近用領域における所定の度数判定位置においてマイナス度数の場合の第３の基本累進屈折面とプラス度数の場合の第４の基本累進屈折面を算出し、その累進帯長における累進特性での中間〜近用領域での当該ユーザーのレンズ度数に応じていずれかを使い分けるというものである。
これによって、簡便に同じ累進特性で同じ累進帯長を選択した設計においてマイナス度数とプラス度数との中間〜近用領域にかけて上下方向の見え方の差異を解消させることが可能となる。
【００１２】
また、第６の手段では第４の手段に記載の発明の構成に加え、所定の累進帯長が選択された所定の累進特性に対し所定のレンズ度数で設計する際に、当該ユーザーの加入度数では中間〜近用領域における所定の度数判定位置においてマイナス度数の場合において所定の高さ位置で所定の加入量となるように設計される累進面（以下、第３の基本累進屈折面とする）と、前記と同じ累進帯長及び累進特性に対し前記と同じレンズ度数で設計する際に、当該ユーザーの加入度数では中間〜近用領域における所定の度数判定位置においてプラス度数の場合において前記第３の基本累進屈折面よりも前記所定の高さ位置での加入量が多くなるような設計によって構成される累進面（以下、第４の基本累進屈折面とする）とをそれぞれ算出し、所定の度数判定位置での当該ユーザーのプラス又はマイナスのレンズ度数の数値に応じた重みを前記両基本累進屈折面に対して与え、重みを与えた前記両基本累進屈折面を合成して当該ユーザーのレンズの累進面を設計することをその要旨とする。
第６の手段はより具体的な設計手法であって、所定の累進帯長が選択された所定の累進特性に対し所定のレンズ度数で設計する際に、当該ユーザーの加入度数では中間〜近用領域における所定の度数判定位置においてマイナス度数の場合の第３の基本累進屈折面とプラス度数の場合の第４の基本累進屈折面を算出し、その累進帯長における累進特性での中間〜近用領域での当該ユーザーのレンズ度数に応じた重みをそれら基本累進屈折面に与えて当該ユーザーのレンズの累進面を設計するというものである。
これによって、同じ累進特性で同じ累進帯長を選択した設計においてマイナス度数とプラス度数との中間〜近用領域にかけて上下方向の見え方の差異をユーザーの実際のレンズ度数に応じてより妥当な量として解消させることが可能となる。
【００１３】
また、第７の手段では第１の手段に記載の発明の構成に加え、所定の累進帯長が選択された所定の累進特性に対し所定のレンズ度数で設計する際に、当該ユーザーの加入度数では、当該ユーザーの累進屈折力レンズのレンズ形状が少なくとも所定の度数判定位置でプラス度数となる場合に、同じ設定条件でマイナス度数となる場合よりも所定の高さ位置での加入量が相対的に多くなるように設計することをその要旨とする。
このような構成とすることで、累進屈折力レンズの中間〜近用領域にかけてプラス度数となる場合にプリズム効果によって左右及び上下方向の明視できる幅が狭くなることを防止でき、同じ累進特性で同じ累進帯長を選択した設計においてマイナス度数となる場合との中間〜近用領域にかけて左右及び上下方向の見え方の差異を解消させることが可能となる。この第７の手段は要は第１の手段と第４の手段とを組み合わせた場合である。
【００１４】
また、第８の手段では第７の手段に記載の発明の構成に加え、所定の累進帯長が選択された所定の累進特性に対し所定のレンズ度数で設計する際に、当該ユーザーの加入度数では中間〜近用領域における所定の度数判定位置においてマイナス度数の場合に所定の明視幅設定位置において左右方向が所定の明視幅となり、かつ所定の高さ位置で所定の加入量となるように設計される累進面（以下、第５の基本累進屈折面とする）と、前記と同じ累進帯長及び累進特性に対し前記と同じレンズ度数で設計する際に、当該ユーザーの加入度数では中間〜近用領域における所定の度数判定位置においてプラス度数の場合に前記所定の明視幅設定位置における前記第１の基本累進屈折面よりも左右方向の明視幅が広く、かつ前記所定の高さ位置での加入量が多くなるような設計によって構成される累進面（以下、第６の基本累進屈折面とする）とをそれぞれ算出し、中間〜近用領域おける所定の度数判定位置で当該ユーザーのレンズ度数がマイナス度数である場合には前記第５の基本累進屈折面を当該ユーザーのレンズの累進面とし、プラス度数である場合には前記第６の基本累進屈折面を当該ユーザーのレンズの累進面とすることをその要旨とする。
第８の手段はより具体的な設計手法であって、所定の累進帯長が選択された所定の累進特性に対し所定のレンズ度数で設計する際に、当該ユーザーの加入度数では中間〜近用領域における所定の度数判定位置においてマイナス度数の場合の第５の基本累進屈折面とプラス度数の場合の第６の基本累進屈折面を算出し、その累進帯長における累進特性での中間〜近用領域での当該ユーザーのレンズ度数に応じていずれかを使い分けるというものである。
これによって、簡便に同じ累進特性で同じ累進帯長を選択した設計においてマイナス度数とプラス度数との中間〜近用領域にかけて左右及び上下方向の見え方の差異を解消させることが可能となる。
【００１５】
また、第９の手段では第７の手段に記載の発明の構成に加え、所定の累進帯長が選択された所定の累進特性に対し所定のレンズ度数で設計する際に、当該ユーザーの加入度数では中間〜近用領域における所定の度数判定位置においてマイナス度数の場合に所定の明視幅設定位置において左右方向が所定の明視幅となり、かつ所定の高さ位置で所定の加入量となるように設計される累進面（以下、第５の基本累進屈折面とする）と、前記と同じ累進帯長及び累進特性に対し前記と同じレンズ度数で設計する際に、当該ユーザーの加入度数では中間〜近用領域における所定の度数判定位置においてプラス度数の場合に前記所定の明視幅設定位置における前記第１の基本累進屈折面よりも左右方向の明視幅が広く、かつ前記所定の高さ位置での加入量が多くなるような設計によって構成される累進面（以下、第６の基本累進屈折面とする）とをそれぞれ算出し、中間〜近用領域における所定の度数判定位置で当該ユーザーのプラス又はマイナスのレンズ度数の数値に応じた重みを前記両基本累進屈折面に対して与え、重みを与えた前記両基本累進屈折面を合成して当該ユーザーのレンズの累進面を設計することをその要旨とする。
第９の手段はより具体的な設計手法であって、こ所定の累進帯長が選択された所定の累進特性に対し所定のレンズ度数で設計する際に、当該ユーザーの加入度数では中間〜近用領域における所定の度数判定位置においてマイナス度数の場合の第５の基本累進屈折面とプラス度数の場合の第６の基本累進屈折面を算出し、その累進帯長における累進特性での中間〜近用領域での当該ユーザーのレンズ度数に応じた重みをそれら基本累進屈折面に与えて当該ユーザーのレンズの累進面を設計するというものである。
これによって、同じ累進特性で同じ累進帯長を選択した設計においてマイナス度数とプラス度数との中間〜近用領域にかけて左右及び上下方向の見え方の差異をユーザーの実際のレンズ度数に応じてより妥当な量として解消させることが可能となる。
【００１６】
また、第１０の手段では第３、６又は９のいずれかの手段に記載の発明の構成に加え、中間〜近用領域における所定の度数判定位置で当該ユーザーのレンズ度数が所定範囲に属する小さい値である場合には重みを与えた前記両基本累進屈折面を合成し、それ以上の値の場合には当該ユーザーのプラス又はマイナスのレンズ度数に対応したいずれかの基本累進屈折面をそのまま選択することをその要旨とする。
これはマイナス度数とプラス度数が所定範囲に属する場合に限り当該ユーザーのレンズ度数の重みを考慮して、マイナス度数とプラス度数が所定範囲に属さない場合には実際上重みを考慮しなくともマイナス度数とプラス度数のそれぞれの基本累進屈折面をそのまま選択して構わないとするものである。これにより、マイナス度数とプラス度数との中間〜近用領域にかけて左右方向の見え方の差異をユーザーの実際のレンズ度数に応じてより妥当な量として解消させることが可能となる。
また、第１１の手段では第１０の手段に記載の発明の構成に加え、前記所定範囲の小さい値とは絶対値において０〜２Ｄ（ディオプター)の範囲であることをその要旨とする。
この範囲はマイナス度数とプラス度数の切り替わりの度数に相当し、マイナス度数からプラス度数への変化をなだらかにするため、重みを考慮することが好ましい。
【発明の効果】
【００１７】
上記各請求項の発明では、ある累進特性である累進帯長累進の累進屈折力レンズにおいて中間〜近用領域にかけて加入度数を設定することによってマイナス度数となる場合よりもプラス度数となる場合に中間〜近用領域にかけての明瞭に見える範囲を拡大したため、中間〜近用領域にかけてプラス度数となるユーザーについてもマイナス度数となるユーザーと同等の装用感を与えることが可能となる。
【図面の簡単な説明】
【００１８】
【図１】本発明の実施の形態における累進屈折力レンズの面要素であって、（ａ）はマイナス度数の基本累進屈折面の非点収差分布部図、（ｂ）は同じくプラス度数の基本累進屈折面の０．５０Ｄステップの非点収差分布部図。図中、上方から○、×、＋、×、○の各位置は、上方から、遠用度数測定位置、フィッティングポイント、幾何中心、累進帯終わり位置（＝近用入り口）、近用度数測定位置をそれぞれ示す。
【図２】縦軸を加入度数とし、横軸を幾何中心からの距離とした場合のマイナス度数の基本累進屈折面の加入度曲線を実線で、同じくプラス度数の基本累進屈折面の加入度曲線を破線で示すグラフ。
【図３】中間〜近用の所定の度数判定位置における当該ユーザーの判定度数とマイナス度数の基本累進屈折面とプラス度数の基本累進屈折面について与える重みの関係を説明するグラフ。
【図４】プリズムを透過する透過光の屈折方向を説明する説明図。
【図５】（ａ）は累進屈折力レンズを装用した状態を正面から目視した模式図、（ｂ）は（ａ）における一点鎖線におけるプラス度数の場合の見え方の模式図、（ｃ）は同じくマイナス度数の場合の見え方の模式図。
【図６】（ａ）は累進屈折力レンズを装用した状態を正面から目視した模式図、（ｂ）は（ａ）における一点鎖線におけるプラス度数の場合の見え方の模式図、（ｃ）は同じくマイナス度数の場合の見え方の模式図。
【発明を実施するための形態】
【００１９】
以下、本発明の具体的な実施の形態を図面に基づいて説明する。尚、以下の各レンズは説明上一方のレンズのみを図示するが対になる他方のレンズは対称形状に形成されるものとする。以下のステップは図示しないＣＡＭ（computer aided manufacturing）装置を使用して半製品（セミ）の裏面に対して切削加工及び研削加工を施す際のサグデータを算出するステップである。以下の第２〜第５のステップの計算は公知のＣＡＭ装置あるいはＣＡＭ装置に指示を与える設計用コンピュータ内において実行される。レンズ形状の計算ステップおよびその手順は一例でありこれに限定されるものではない。
【００２０】
＜第１のステップ＞
ユーザーのレンズ度数から、最適な表面のレンズ形状を決定し、レンズ加工に用いるための半製品（セミ）を決定するステップである。
ここでは一例として３人のユーザーを想定する。例えば、レンズの素材の屈折率を１．６０として、
１）ユーザー１
Ｒ眼  Ｓ−７．００    ＡＤＤ２．００
Ｌ眼  Ｓ−７．００    ＡＤＤ２．００
２）ユーザー２
Ｒ眼  Ｓ−１．７５    ＡＤＤ２．００ 
Ｌ眼  Ｓ−１．７５    ＡＤＤ２．００
３）ユーザー３
Ｒ眼  Ｓ＋２．００    ＡＤＤ２．００
Ｌ眼  Ｓ＋２．００    ＡＤＤ２．００
としたとき、ユーザー１では表面１．５カーブ（１．５２３換算）、ユーザー２では表面３．５カーブ（１．５２３換算）、ユーザー３では表面６．０カーブ（１．５２３換算）の表面を持つ半製品（セミ）を予め登録しておいたレンズ度数と半製品（セミ）の対応に基づいて選択する。本実施例は内面累進屈折力レンズの作成事例である為、半製品（セミ）の表面は球面形状である。
【００２１】
＜第２のステップ＞
第１ステップで選択された表面形状に対し、ユーザーの遠用のレンズ度数を設定するための裏面の球面形状を設定する。ここでは、上記１）〜３）に対応して、
１）ユーザー１の裏面：７．６カーブ（１．５２３換算）
２）ユーザー２の裏面：５．０カーブ（１．５２３換算）
３）ユーザー３の裏面：４．３カーブ（１．５２３換算）
を設定する。
【００２２】
＜第３のステップ＞
ユーザーのレンズ度数から基本累進屈折面を設定するステップである。基本累進屈折面はユーザーの中間〜近用領域にかけてのレンズ度数に基づいて累進帯長毎に２種類の基本累進屈折面をベースとして設計する。２種類の基本累進屈折面としてマイナス度数の基本累進屈折面Ａとプラス度数の基本累進屈折面Ｂの２つが用意される。また、ここでは累進帯長１３ｍｍが選択された場合における一例を挙げる。つまり、ユーザー１〜３はいずれも累進帯長１３ｍｍを選択したものとする。
ここに、基本累進屈折面とは、累進要素の面形状変化を与える面のことを言う。図１（ａ）（ｂ）及び図２の加入度曲線は、表面が４．０カーブ、遠用度数Ｓ+０．００で加入度ＡＤＤ２．００の条件での基本累進屈折面の特性を図示した例である。ここでは遠用度数Ｓ+０．００としたため、レンズ度数の影響は小さく基本累進屈折面の累進特性を具現化した図となっている。
図１（ａ）（ｂ）に示すように、マイナス度数の基本累進屈折面Ａとプラス度数の基本累進屈折面Ｂでは明視幅設定位置をＬ１とした時、Ｌ１上での非点収差の絶対値が１．０Ｄ（主注視線Ｌ２から左右に２本目の太実線）以下の範囲がプラス度数となる場合（ｂ）ではマイナス度数となる場合（ａ）よりも広く設計されている。また、Ｌ１よりもやや上方（例えば、近用入り口上）の水平方向の明視幅も同様である。すなわち、図１（ａ）（ｂ）は中間〜近用領域にかけてプラス度数となる場合にマイナス度数となる場合よりも左右方向の明視幅が広く設計されている。その他の全体的特性は近似している。つまり、この２つの基本累進屈折面Ａ，Ｂは中間〜近用領域にかけての見え方がプラス度数とマイナス度数の場合で同等となるように設定されている同じ累進特性の屈折面であるといえる。
また、図２は図１（a）（b）の主注視線Ｌ２における加入度数変化、すなわち加入度曲線の比較図である。プラス度数（破線）ではマイナス度数（実線）よりも近用部の入り口（幾何中心から１１ｍｍ下方位置）の加入度が相対的に大きくなるように設定されている（近用度数測定位置での度数、すなわち加入度数は同じである）。
【００２３】
基本的に本実施の形態では、図３に示すような度数判定位置における水平方向の判定度数に応じた重みを考慮する。この水平方向のレンズ度数は中間〜近用領域にかけての任意の位置とすることが可能であるが、図１(ａ)及び（ｂ）に示すように、ここでは近用度数測定位置（幾何中心から１４ｍｍ下方）とした。
ユーザー１では、近用の水平方向度数が−５．０Ｄであったため、図３から基本累進屈折面Ａの割合が１００％、つまり重み１としてマイナス度数での基本累進屈折面Ａをそのまま使用する。
ユーザー３では、近用の水平方向度数が＋４．００Ｄであったため、図３から基本累進面Ｂの割合が１００％、つまり重み１としてプラス度数での基本累進屈折面Ｂをそのまま使用する。
しかし、ユーザー２では、近用の水平方向度数が＋０．２５Ｄであるため、図３に基づいて基本累進屈折面Ａと基本累進屈折面Ｂを重み付けして合成する必要がある。
ここでは基本累進屈折面Ａとの差の絶対値は２＋０．２５＝２．２５となり、基本累進屈折面Ｂとの差の絶対値は２−０．２５＝１．７５となるため、その重み（％）は、
基本累進屈折面Ａの割合＝２．２５／（２−（−２）)×１００=２．２５／４×１００
＝５６．２５％
基本累進屈折面Ｂの割合＝１．７５／（２−（−２）)×１００=１．７５／４×１００
＝４３．７５％
となる。つまり、ユーザー２では基本累進屈折面Ａを０．５６２５とし基本累進屈折面Ｂを０．４３７５とする重みを与えて基本累進屈折面Ａと基本累進屈折面Ｂを合成するようにして合成した基本累進屈折面のデータを取得する。
【００２４】
＜第４のステップ＞
ここでは第２のステップで取得した裏面球面形状データに対して、第３のステップで取得した基本累進屈折面を付加する（合成する）工程である。内面累進設計においては、例えば第２のステップで設定したユーザーの遠用度数に対応した球面レンズの裏面形状に対して、第３のステップで設定した基本累進面を与える面形状変化を付加するようにする。
＜第５のステップ＞
第４のステップの面形状に対して、非球面を付加するステップである。レンズ周辺部の光学的な調整を非球面の付加により行い、ステップ２〜ステップ５の面の合成（付加）課程を経て実際に加工されるレンズの形状が決定されるものである。
【００２５】
上記のような構成によって、次のような効果が奏される。
（１）従来では同じ累進帯長においては同じ累進設計であったため、中間〜近用領域にかけてマイナス度数となるユーザーよりもプラス度数となるユーザーの方がはっきり見える領域が狭くなってしまっており実生活上の不便を感じやすかったが、上記のようにプラス度数となる場合には中間〜近用領域にかけての累進特性を変更してはっきり見える領域をマイナス度数の場合と同様とすることができる。これにより、眼鏡店では中間〜近用領域にかけてどのような度数となっても同じ見え方となるという前提でユーザーに累進屈折力レンズを勧めることができる。
（２）基本累進屈折面Ａと基本累進屈折面Ｂを前もって設定し、ユーザーがそれをそのまま適用できるようなレンズ度数であればそのまま適用し、特に中間〜近用領域にかけての判定度数の絶対値が所定範囲よりも小さい場合には基本累進屈折面Ａと基本累進屈折面Ｂを合成することでより合理的な最適な累進屈折力レンズを提供することができる。すなわち計算コストを抑えながら、マイナス度数からプラス度数までより好ましいレンズの形状を提供することが出来る。
【００２６】
尚、この発明は、次のように変更して具体化することも可能である。
・上記実施の形態では度数判定位置における判定度数として水平方向のレンズ度数を用いていたが等価球面度数（Ｓ＋Ｃ／２）や垂直方向度数等を採用してもよい。
・上記実施の形態ではプラス度数の場合にマイナス度数の場合よりも中間〜近用領域にかけて明視幅を広くし、かつ近用部入り口の加入量を相対的に多くなるような左右方向と上下方向の両方向について調整するような設計としたが、左右方向と上下方向のいずれか一方のみをこのような設計とすることも可能である。
・上記実施の形態では重みの設定基準として絶対値で２以下について基本累進屈折面Ａと基本累進屈折面Ｂを合成するようにしていたが、このような絶対値の小さな値のみならず大きな値についても合成するようにしてもよい。また、重みの設定基準は、０を挟んで均等でなくても、例えば、−１０Ｄおよび＋６Ｄを両端として設定するようにしてもよい。このようにすることで、計算コストを抑えつつ、マイナス度数とプラス度数との中間〜近用領域にかけて左右方向の見え方の差異を広い度数範囲について妥当な量として解消させることが可能となる。
・重みを設定せず、単純に中間〜近用領域にかけてプラス度数になるかマイナス度数になるかという二者択一的に基本累進面を選択してもよい。その時、左眼がマイナス度数、右眼がプラス度数となるような場合には、左右で設計が揃うようにマイナス度数かプラス度数のどちらかを優先して選択（例えば、マイナス度数を優先し、左右ともマイナス度数の基本累進面を選択）するなどにより左右の設計を合わせるなどしても良い。
その他本発明の趣旨を逸脱しない態様で実施することは自由である。
【図１】
0005838419.tif 000002
【図２】
0005838419.tif 000003
【図３】
0005838419.tif 000004
【図４】
0005838419.tif 000005
【図５】
0005838419.tif 000006
【図６】
0005838419.tif 000007